(57)【要約】  【課題】運搬したり保管したりする食品に応じて内部に棚を設けることができる断熱容器を提供する。  【解決手段】内部に２基の棚部材７８がある。棚部材７８は、天板８１と、二枚の脚板８２を備えたものである。天板は略正方形であり、その面積及び形状は、箱体部１０の内底面の半分を占める形状及び面積である。棚部材７８を敷きつめると、天板８１の二辺に設けられた縁片８３が隣接する縁片８３又は箱体部１０の内壁と接し、天板８１に対して直角姿勢となる。そのため天板８１の断面係数が増大し、天板８１が補強されて曲げに対する強度が向上する。脚板８２は、通気板７７と箱体部１０の間の隙間９０に嵌まり込む。その結果、脚板８２の下部は両者によって規制され、移動しない。【選択図】図１３
2006327614.tif 000002
【特許請求の範囲】
【請求項１】
断熱性を有する箱体部と、前記箱体部の中に収納される棚部材とを備え、前記棚部材は、畳み置き及び自立可能であることを特徴とする断熱容器。
【請求項２】
棚部材は複数あり、複数の前記棚部材を敷きつめることによって箱体部の略全平面領域が覆われることを特徴とする請求項１に記載の断熱容器。
【請求項３】
棚部材は、天板部と、前記天板部の端部にあって前記天板部に対して折り曲げ可能な折り曲げ部が設けられており、前記棚部材を敷きつめることによって、前記折り曲げ部が隣接する前記棚部材と接して折れ曲がり状態を維持することを特徴とする請求項１または２に記載の断熱容器。
【請求項４】
棚部材は、天板部と、前記天板部に対して折り曲げ可能な脚部を有し、箱体部の底部近傍に水平状態に置かれる板体を備え、前記棚部材の脚部は、前記板体と前記箱体の間に挿入可能であることを特徴とする請求項１から３のいずれか一項に記載の断熱容器。
【請求項５】
板体は、通気性を備えていることを特徴とする請求項４に記載の断熱容器。
【請求項６】
箱体部の底部に蓄熱材が配置され、前記板体は、前記蓄熱材の上に載置されるものであることを特徴とする請求項５に記載の断熱容器。
【請求項７】
脚部は箱体部の内面と接することを特徴とする請求項４から６のいずれか一項に記載の断熱容器。
【請求項８】
断熱性を有し底部に蓄熱材が配される箱体部と、前記蓄熱材の上に置かれる板体と、箱体部の中に収納される複数の棚部材とを備え、前記棚部材は、天板部と、前記天板部に対して折り曲げ可能な脚部と、前記天板部の端部にあって前記天板部に対して折り曲げ可能な折り曲げ部とを備え、前記棚部材は前記脚部を前記天板部に対して折り曲げた状態で自立可能であり、複数の前記棚部材を前記箱体部内で自立させたとき前記天板部によって前記箱体部の略全平面領域が覆われ、前記折り曲げ部が隣接する前記棚部材と接して折れ曲がり状態を維持し、前記棚部材の前記脚部は、下端部近傍が前記板体と前記箱体の間に挟まれて動きが規制され、前記脚部は前記箱体部の内壁と接していることを特徴とする断熱容器。
【発明の詳細な説明】
【技術分野】
【０００１】
本発明は、ハンバーガ等の加熱食品やアイスクリーム等の冷凍食品を、収納したり運搬したりする際に便利な断熱容器に関するものである。
【背景技術】
【０００２】
鮮魚等の腐りやすい食材は、発泡スチロール等の断熱容器に氷詰めにして輸送される。特許文献１，２には、このような鮮魚等を持ち運ぶのに好適な断熱容器が開示されている。
【０００３】
特許文献１，２に記載された断熱容器は、いずれも直方体の箱であり、その内部に保温すべき物が収納される。特許文献１，２に記載の断熱部材は、いずれもその内部が、がらんどうであり、棚等は無い。
【特許文献１】実開昭６４−２７８８号公報
【特許文献２】実開平２−７３１３１号公報
【発明の開示】
【発明が解決しようとする課題】
【０００４】
ところで、近時、ピザなどの加熱調理食品を宅配するニーズが高く、ピザショップに出向くときと同様に、焼き立てのピザを自宅で食べられることから人気を呼んでいる。
【０００５】
このような配達のニーズは種々の加熱調理食品に及んでおり、ファーストフード店で提供されるハンバーガなども例外ではない。
【０００６】
このような加熱調理食品は、配達先で直ぐに食べられるように、加熱調理された状態で保温しつつ配送しなければならない。このため、加熱調理食品は断熱性を有する容器に収納して配達されるのが通例である。
【０００７】
この様な場合、ハンバーガ等は、断熱性を有する容器に収納して運ぶべきであり、例えば、上記した特許文献１，２に開示された断熱容器を用いることにより、加熱調理された食品を長時間保温しつつ配達することが可能である。
【０００８】
しかしながらハンバーガを宅配する場合、単にハンバーガのみを宅配する場合もあるが、フライドポテト等の他の食品や、ジュース等の飲料も同時に宅配する場合が多い。またハンバーガだけを宅配する場合であっても、その量は、まちまちであり、少量の場合もあるが大量に運搬しなければならない場合もある。
【０００９】
ここで、ハンバーガは柔らかいパンにハンバーグを挟んだものであり、押しつぶされやすい。またハンバーガと共に宅配されることが多いフライドポテトは、さらに柔らかく、潰れやすい。一方、ジュース等の飲料は固い容器に入れられている場合が多い。
【００１０】
そのため特許文献１，２に開示された断熱容器で大量のハンバーガを運ぶと、ハンバーガが積み重なって下のハンバーガが潰れる。ましてやフライドポテトは他の食品と混在した状態で運ぶことは困難であり、他の食品と混在させると、折れたり潰れたりして食感を損なう。
【００１１】
さらに固い飲料等が混在すると、ハンバーガやフライドポテトの外観が崩れ、商品価値を損なう。
【００１２】
ここで内部に棚を有する断熱容器を使用すれば、異なる種類の食品を混在させることができるが、ハンバーガショップで宅配される食品の種類や個数は、一回ごとにまちまちであり、固定的な棚を有する断熱容器は使い勝手が悪い。
【００１３】
そこで本発明は、従来技術の上記した問題点に注目し、運搬したり保管したりする食品に応じて内部に棚を設けることができる断勢容器を提供することを目的としている。
【課題を解決するための手段】
【００１４】
上記目的を達成するために提案される本発明は、断熱性を有する箱体部と、前記箱体部の中に収納される棚部材を備え、前記棚部材は、畳み置き及び自立可能であることを特徴とする断熱容器である。
【００１５】
本発明の断熱容器では、棚部材は、畳み置き及び自立可能であるから、必要に応じて自立させ、棚として使用することができる。また不要な時は、畳んでおくことができる。
【発明の効果】
【００１６】
本発明によれば、固いものと柔らかいものを混在させて収納したり運搬したりすることができるので使い勝手がよい。また収納する物の量に応じて棚を設けたり外したりすることができる。
【発明を実施するための最良の形態】
【００１７】
請求項１に記載の断熱容器の発明は、断熱性を有する箱体部と、前記箱体部の中に収納される棚部材とを備え、前記棚部材は、畳み置き及び自立可能であることを特徴とする。
【００１８】
また請求項２に記載の断熱容器の発明は、請求項１に記載の発明における棚部材が複数あり、複数の前記棚部材を敷きつめることによって箱体部の略全平面領域が覆われることを特徴とする。
【００１９】
本発明の断熱容器では、棚部材を敷きつめることによって箱体部の略全平面領域が覆われるので、棚部材の姿勢が安定する。
【００２０】
請求項３に記載の断熱容器の発明は、請求項１または２に記載の発明において、棚部材には、天板部と、前記天板部の端部にあって前記天板部に対して折り曲げ可能な折り曲げ部が設けられており、前記棚部材を敷きつめることによって、前記折り曲げ部が隣接する前記棚部材と接して折れ曲がり状態を維持することを特徴とする。
【００２１】
本発明の断熱容器の棚部材は、天板部を有し、前記天板部に物を乗せることができる。また本発明で採用する天板部は、前記天板部に対して折り曲げ可能な折り曲げ部が設けられているから、当該部分を折り曲げることによって天板の剛性が向上する。そして本発明では、棚部材を敷きつめることによって、折り曲げ部が隣接する棚部材と接して折れ曲がり状態を維持するから、剛性が高い状態を維持することができる。
【００２２】
請求項４に記載の断熱容器の発明は、請求項１から３のいずれか一項に記載の発明において、棚部材が、天板部と、前記天板部に対して折り曲げ可能な脚部を有し、箱体部の底部近傍に水平状態に置かれる板体を備え、前記棚部材の前記脚部は、前記板体と箱体の間に挿入可能であることを特徴とする。
【００２３】
本発明の断熱容器では、棚部材の脚部が板体と箱体の間に挿入される。そのため脚部の端部が保持され、姿勢が崩れない。
【００２４】
請求項５に記載の断熱容器の発明は、請求項４に記載の発明における板体が、通気性を備えていることを特徴とする。
【００２５】
請求項６に記載の断熱容器の発明は、請求項５に記載の発明において、箱体部の底部に蓄熱材が配置され、前記板体は、前記蓄熱材の上に載置されるものであることを特徴とする。
【００２６】
蓄熱材は、相当の高温となるため、食品を直接この上に乗せることは好ましくない。そこで本発明では、蓄熱材の上に板体を乗せることとし、この板体で棚部材の脚部を保持することとした。
【００２７】
請求項７に記載の断熱容器の発明は、請求項４から６のいずれか一項に記載の発明において、脚部が箱体部の内面と接することを特徴とする。
【００２８】
本発明の断熱容器では、脚部が箱体部の内面と接しているので、脚部は姿勢を保ち易く、崩れにくい。
【００２９】
請求項８に記載の断熱容器の発明は、断熱性を有し底部に蓄熱材が配される箱体部と、前記蓄熱材の上に置かれる板体と、箱体部の中に収納される複数の棚部材とを備え、前記棚部材は、天板部と、前記天板部に対して折り曲げ可能な脚部と、前記天板部の端部にあって前記天板部に対して折り曲げ可能な折り曲げ部とを備え、前記棚部材は前記脚部を前記天板部に対して折り曲げた状態で自立可能であり、複数の前記棚部材を前記箱体部内で自立させたとき前記天板部によって前記箱体部の略全平面領域が覆われ、前記折り曲げ部が隣接する前記棚部材と接して折れ曲がり状態を維持し、前記棚部材の前記脚部は、下端部近傍が前記板体と前記箱体の間に挟まれて動きが規制され、前記脚部は前記箱体部の内壁と接していることを特徴とする。
【００３０】
本発明は、前述した発明の特徴部分を兼ね備えたものであり、棚部材を敷きつめることによって、前記折り曲げ部が隣接する棚部材と接して折れ曲がり状態を維持するから、剛性が高い状態を維持することができ、蓄熱材に乗せる板体棚部材の脚部が保持され、さらに脚部が箱体部の内面と接しているので、脚部は姿勢を保ち易く、崩れにくい。
【００３１】
以下に、図面を参照して本発明の断熱容器の実施の形態を説明する。
【００３２】
（実施の形態１）
図１は、本発明の実施の形態１に係る断熱容器を示す斜視図である。図２は、同実施の形態の断熱容器の側面図である。図３は、同実施の形態の断熱容器の内部を示す断面斜視図である。図４は、同実施の形態の断熱容器の畳んだ状態の斜視図である。図５は、同実施の形態の断熱容器の外箱部材と内壁形成部材を取り外した状態を示す分解斜視図である。図６は、同実施の形態の断熱容器で採用する連結部の斜視図である。図７は、同実施の形態の断熱容器の内壁部材の斜視図及び分解斜視図である。図８は、同実施の形態の断熱容器の内壁部材の断面図である。図９は、同実施の形態の断熱容器に用いた真空断熱材の断面斜視図である。
【００３３】
本実施の形態の断熱容器１は、図１の様に、箱体部１０にショルダーベルト（さげ紐）１１が設けられたものである。即ち断熱容器１は、四面の周壁部２〜５、底面部６および開閉可能な蓋部（開閉部）８を有した略直方体の箱体部１０を有する。また断熱容器１にはショルダーベルト（さげ紐）１１が設けられている。本実施の形態の断熱容器１は、蓄熱板（蓄熱材）１２，１５と組み合わせで使用される。
【００３４】
箱体部１０は、図５に示す様に、外箱部材１６と、内壁形成部材１７によって構成されている。
【００３５】
内壁形成部材１７は、組み合わせ側壁部材１８と独立側壁部材２０によって構成されている。組み合わせ側壁部材１８は、第一内壁部材２２、第二内壁部材２３、第三内壁部材２５及び底壁部材２６によって構成されている。
【００３６】
上記した第一内壁部材２２、第二内壁部材２３、第三内壁部材２５及び底壁部材２６は、いずれも後記する様に柔軟性を有する外装材（シート材）２７に剛性を有する板状の真空断熱材３０を内包して形成されたものである。
【００３７】
上記した第一内壁部材２２、第二内壁部材２３、第三内壁部材２５及び底壁部材２６（以下総称として内壁部材）は、図７に示す様に、柔軟性を有するシート材（外装材）２７を二重に重ね合わせた袋２８に、剛性を有する板状の真空断熱材３０を内包し、袋２８の開口部を縫製して製されたものである。
【００３８】
本実施の形態では、シート材（外装材）２７として、ポリエステル生地の裏面に合成樹脂コートを施したものを用い、当該シート材２７を縫製により整形加工しており、柔軟性に加えて、耐水性、防水性を備えている。
【００３９】
真空断熱材３０は、図９に示す様に、繊維材で形成される芯材３１を、ガスバリア性を有する外被材３２で覆い、その内部を減圧して真空封入して形成されたものである。
【００４０】
本実施の形態に使用する外被材３２は、アルミニウム箔をガスバリア層とし、当該アルミニウム箔の内面側に無延伸ポリプロピレン等のフィルムを熱溶着層として積層すると共に、当該アルミニウム箔の外面側にナイロンフィルムを保護層として積層したラミネートフィルムである。
【００４１】
芯材３１は、繊維材３３を薄板状に加熱成形したものである。本実施の形態では、芯材３１の繊維材３３にグラスウールを用い、この繊維材３３の繊維素が真空断熱材の厚さ方向に対して交差するように引き揃えて配向させたものを採用している。
【００４２】
本実施の形態に採用する真空断熱材３０は、厚さが略１０ｍｍ、熱伝導率（初期熱伝導率）が０．００５Ｗ／ｍＫのものを用いている。これにより、極めて高い断熱性を確保しつつ各部の薄型化を図っている。
【００４３】
組み合わせ側壁部材１８の説明に戻ると、組み合わせ側壁部材１８は上記した、第一内壁部材２２、第二内壁部材２３、第三内壁部材２５及び底壁部材２６が柔軟性を有する連結部材３５，３６によって連結されたものである。
【００４４】
即ち組み合わせ側壁部材１８は、図５に示す様に第一内壁部材２２を中心として、その三辺に他の内壁部材２３，２５，２６が取り付けられたものである。具体的には、図５を基準として第一内壁部材２２の一方の縦辺に連結部材３５を介して第二内壁部材２３の一辺が接続され、第一内壁部材２２の他方の縦辺に連結部材３６を介して第三内壁部材２５の一辺が接続されている。また第一内壁部材２２の底辺に連結部材（図示せず）を介して底壁部材２６が接続されている。
【００４５】
従って、組み合わせ側壁部材１８は、隣接する各内壁部材２２，２３，２５，２６を垂直姿勢にすることもできるし、図５に示す様に折り畳むこともできる。
【００４６】
上記した様に、内壁形成部材１７は、組み合わせ側壁部材１８と独立側壁部材２０によって構成されているが、独立側壁部材２０は、図５に示す様に他の内壁部材２２等とは独立している。独立側壁部材２０の内部構造は、上記した内壁部材２２等と同一である。
【００４７】
一方、外箱部材１６は、図５に示す様に四面の周壁部４２〜４５、底面部４６および開閉可能な蓋部８を有した略直方体である。
【００４８】
外箱部材１６は、図５では箱型をした状態に図示しているが、蓋部８を除く各壁（周壁部４２〜４５、底面部４６）は剛性を持たない。即ち蓋部８を除く各壁（周壁部４２〜４５、底面部４６）は軟質樹脂のシートで作られたものであり、任意の形状に折り畳むことができる。なお本実施の形態では、外箱部材１６を構成するシートは、上記した内壁部材２２を構成するシート材（外装材）２７一と同一の素材である。
【００４９】
外箱部材１６の開口端近傍には、面ファスナー５０が取り付けられている。
【００５０】
外箱部材１６の底は、防水性のシート４８で補強されている。シート４８は、外箱部材１６の底の全域を覆い、一部が対向する周壁部４３，４５の下端部に至っている。シート４８は、周壁部４３，４５に対して縫い糸４９によって縫合されている。
【００５１】
外箱部材１６の中で、唯一蓋部８だけは内部に真空断熱材（図示せず）が内蔵されており、剛性を持つ。即ち蓋部８は、上記した内壁部材２２，２３，２５，２６と同様に、シート材（外装材）２７で形成された袋の中に真空断熱材が収納されたものである。
【００５２】
蓋部８には、図１，３，５に示す様に、３方の外側縁に沿って外側縁から突出するフラップ５１，５２，５３が設けられている。フラップ５１，５２．５３の内面には面ファスナーが取り付けられている。フラップ５１，５２，５３に設けられた面ファスナーは、外箱部材１６の開口端近傍に設けられた面ファスナー５０に対応するものである。
【００５３】
従って、蓋部８を覆い被せて５１，５２，５３を外箱部材１６の開口端近傍に押圧すると、蓋部８の面ファスナーが外箱部材１６の面ファスナー５０と係合して蓋部８が閉じられる。逆に、フラップ５１，５２，５３を引っ張って面ファスナー同士の係合を解除することにより、蓋部８を容易に開くことができる。
【００５４】
また蓋部８の下面（組み立てた際に箱体部１０の内側に位置する部位）に図３，５に示す様に蓄熱材取付部５６，５７が設けられている。蓄熱材取付部５６，５７は、網で作られた袋であり、一辺５８，５９が開口し、他の辺は閉じている。蓄熱材取付部５６，５７は主として蓄冷材（低温の蓄熱材）を収納するものである。
【００５５】
本実施の形態の断熱容器１では、箱体部１０は、上記した様に外箱部材１６と、内壁形成部材１７によって構成され、外箱部材１６の内側に内壁形成部材１７が収納されている。
【００５６】
作図の関係上、図５では、外箱部材１６と内壁形成部材１７とを別々に図示したが、実際には、外箱部材１６の第一内壁部４４に内壁形成部材１７の第一内壁部材２２が接合され、外箱部材１６の対向する内壁部４２に内壁形成部材１７の独立側壁部材２０が接合されている。
【００５７】
また断熱容器１の外周部に目を移すと、図１に示す様に断熱容器１にはショルダーベルト（さげ紐）１１が取り付けられている。
【００５８】
ショルダーベルト（さげ紐）１１は、大きく分けて、一端側箱体取付部６０と、他端側箱体取付部６１と、連結部材６２によって構成されている。
【００５９】
一端側箱体取付部６０は、図１，２に示す様に一本のベルトの両端を箱体部１０の端面（周壁部３）に接続し、中間部をフリー状態にしたものである。
【００６０】
即ち箱体取付部６０の両端は、箱体部１０の端面（周壁部３）の下側の両角の位置にあり、防水シート４８と、外箱部材１６の本体を構成する周壁部４３のシートの間に挟み込まれている。そして箱体取付部６０の端部と、防水シート４８と、周壁部４３の三者は、図示しない接着剤で一体的に接合されていると共に、上記した縫い糸４９によっても縫合されている。
【００６１】
また箱体部１０の端面（面積が小さい側面、周壁部３）の中間の高さの位置には上下の辺と平行に帯（帯状部材）６３が取り付けられており、箱体取付部６０の中間部分は、帯６３と、外箱部材１６の本体を構成する周壁部４３のシートの間に挟み込まれている。また帯６３と外箱部材１６の交点においては、図示しない接着剤で帯６３と外箱部材１６及び周壁部４３のシートが一体的に接合されていると共に、縫い糸６７によって縫合されている。
【００６２】
一端側箱体取付部６０の防水シート４８に挟まれた部位から帯６３に挟まれた部位までの間は、図示しない接着剤によって箱体部１０の端面（周壁部３）に接着されている。従って一端側箱体取付部６０の先端部から帯６３に挟まれた部位までの間は、箱体部１０から離れない様に取り付けられた固定紐部６８である。一方、帯６３に挟まれた部位同士の間はフリーであり、箱体部１０から離れている。
【００６３】
また帯６３と外箱部材１６の交点の位置は、周壁部４３の縦辺から離れた位置であり、やや中間部に寄った位置である。従ってショルダーベルト（さげ紐）１１の箱体取付部６０であって、実際に外箱部材１６に取り付けられた部位（固定紐部）６８は、箱体部の下部から上部側に向かって延びる二列の部分であり、そして固定紐部６８のベルト間隔は、下部側から上部側に向かってしだいに狭まっている。従って固定紐部６８においては、ベルトは周壁部４３の各辺に対して傾斜して取り付けられている。
【００６４】
固定紐部６８の傾斜角度について付言すると、図１，２に示すように、箱体取付部６０の中間部分を周壁部４３と同一の平面であって且つ周壁部４３の中心軸上に持ち上げ、箱体取付部６０のフリー部分６９の弛みを無くした状態の時、箱体取付部６０のフリー部分６９の中心７４と、一端側箱体取付部６０の端部との間が直線状態となる様な角度である。
【００６５】
ショルダーベルト（さげ紐）１１の他端側箱体取付部６１は、上記した一端側箱体取付部６０と同一である。
【００６６】
次にショルダーベルト（さげ紐）１１の連結部材６２について説明する。連結部材６２は、一端側箱体取付部６０と他端側雑体取付部６１とを連結する部材であり、取付部側連結部６５，６６と、中間ベルト部６７によって構成される。
【００６７】
取付部側連結部６５，６６は、いずれも短いベルトの一端に雌型係止具片７０又は雄型係止具片７１が設けられたものであり、他端側は、輪７２になっていて一端側箱体取付部６０と他端側箱体取付部６１のフリー部分が挿通されている。
【００６８】
中間ベルト部６７は、中間部分に全長を調節する調節具８５を備え、一端に雄型係止具片７３が取り付けられ、他端側に雌型係止具片７５が取り付けられている。従って使用時においては、中間ベルト部６７は、雄型係止具片７３を取付部側連結部６５の雌型係止具片７０に接続し、雌型係止具片７５を取付部側連結部６６の雄型係止具片７１に接続して一端側箱体取付部６０と他端側箱体取付部６１の間を結ぶ。
【００６９】
次に箱体部１０内に収納される部材について説明する。
【００７０】
図１０は、本発明の実施の形態１に係る断熱容器の箱体部内に収納される蓄熱材と、通気板を示す斜視図である。図１１は、同実施の形態の断熱容器の箱体部内に蓄熱材と通気板を置き、さらにハンバーガを入れた状態における断熱容器の断面斜視図である。図１２（ａ）は同実施の形態の断熱容器の棚部材の設置時の状態を示す斜視図であり、（ｂ）は同棚部材の不使用時の状態を示す斜視図である。図１３（ａ）は、同実施の形態の断熱容器の箱体部内に蓄熱材と通気板を置き、さらに棚部材を設置した状態における断熱容器内の様子を示す斜視図であり、（ｂ）は箱体部と通気板と脚部の関係を示す要部断面図である。図１４は、同実施の形態の断熱容器の箱体部内に蓄熱材と通気板置き、さらに棚部材を畳んで収納した状態における断熱容器内の様子を示す斜視図である。
【００７１】
箱体部１０内には、複数の蓄熱板（蓄熱材）１２，１５と、一枚の通気板７７及び二個の棚部材７８が設置される。蓄熱板（蓄熱材）１２は、冷熱を蓄熱するものであり、蓄熱板（蓄熱材）１５は、温熱を蓄熱するものであるから、両者は選択的に使用される。
【００７２】
蓄熱板（蓄熱材）１５は、高温を蓄熱するものであり、電子レンジで加熱することによって所望の温度となり、熱エネルギーを蓄積するものである。蓄熱板（蓄熱材）１２は、冷蔵庫で冷やして冷熱を蓄熱する。蓄熱板１２，１５は、いずれも板状又はブロック状であり、背の低い直方体形状である。
【００７３】
通気板（板体）７７は、ある程度の剛性を持つ樹脂又は金属の板であり、多数の孔７９が開口している。通気板７７は長方形であり、その面積及び形状は、箱体部１０の内底面の形状及び面積に比べてやや小さい。通気板７７は、ハンバーガ等が直接蓄熱板（蓄熱材）１５に触れることを防ぐ機能を持つものである。
【００７４】
棚部材７８は、一枚の樹脂板を打ち抜いた後に曲げ加工したものであり、多数の孔８０が開口した天板（天板部）８１と、二枚の脚板（脚部）８２を備えたものである。天板８１は略正方形であり、その面積及び形状は、箱体部１０の内底面の半分を占める形状及び面積である。
【００７５】
脚板８２は、天板８１の対向する辺に設けられており、脚板８２と天板８１の間には折り目８７が入れられている。
【００７６】
脚板８２の幅は、天板８１のそれと等しい。脚板８２を天板８１に対して９０度に曲げると棚部材７８全体が図１２（ａ）の様に台状となって自立する。上記した様に天板の面積及び形状は、箱体部１０の内底面の半分を占める形状及び面積であって脚板８２は天板８１の対向する辺に設けられているから、脚板８２同士の外寸は、箱体部１０の内側の幅と略等しい。
【００７７】
天板８１には多数の通気孔８０が設けられている。また天板８１の他の対向する二辺の全域には、幅の短い縁片（折り曲げ部）８３が設けられている。本実施の形態では、縁片８３の幅はどの位置においても等しい。また縁片８３は、長手方向の両端部に肉厚部９５が設けられている。
【００７８】
縁片８３と天板８１の間にも折り自８８があり、縁片８３は、棚部材７８の使用時に天板８１に対して傾斜する様に折り曲げられ、天板８１を補強する。従って天板８１は曲げに対して高い剛性を持ち、天板８１上に物を置くことができる。
【００７９】
また脚板８２を天板８１と平行に折り畳むと、棚部材７８は図１２（ｂ）の様に嵩の低いものとなる。
【００８０】
次に、本実施の形態の断熱容器１の使用方法について説明する。
【００８１】
本発明の断熱容器１は、ハンバーガの様な常温よりも高い温度を保って運送するべきものにも、アイスクリームの様に常温よりも低い温度に保って運送するべきものにも適用可能である。
【００８２】
ハンバーガの様に常温よりも高い温度に保って物を運ぶ場合には、箱体部１０の底に、高温の蓄熱板１５を設置する。そして蓄熱板１５の上に通気板７７を置き、その上にハンバーガ８６等の保温すべき物品を置く。
【００８３】
通気板７７には、多数の孔７９が課けられているので、蓄熱板１５の熱は、孔７９を経て上部に至り、断熱容器１内を対流する。また断熱容器１は、上記した様に真空断熱材３０で覆われているので、庫内の熱は外に逃げにくく、ハンバーガ等は、所定の温度に保たれる。
【００８４】
またハンバーガ８６等をより多く収納する場合には、ハンバーガ８６等が押しつぶされない様に箱体部１０内に棚部材７８を設置する。
【００８５】
即ち図１３に示す様に脚板８２を天板８１に対して９０度に曲げて箱体部１０内に設置する。棚部材７８は、図１３に示す様に２基並べて設置することが望ましい。
【００８６】
天板８１の面積及び形状は、箱体蔀１０の内底面の半分を占める形状及び面積であり、脚板８２同士の外寸は、箱体部１０の内側の幅と略等しいので、棚部材７８の脚板８２は、箱体部１０の内壁に沿って立設される。
【００８７】
また脚板８２の下部に注目すると、図１３に示す様に、脚板８２同士の間に通気板７７がある。即ち通気板７７は、蓄熱板１５の上に載置されているので箱体部１０の底からやや離れた位置にある。また通気板７７は箱体部１０の面積よりも小さいので通気板７７と箱体部１０の各内壁９１との間には隙間９０がある。
【００８８】
そのため脚板８２は、通気板７７と箱体部１０の間の隙間９０に嵌まり込む。その結果、脚板８２の下部は両者によって規制され、脚板８２は内側方向に移動しない。また脚部８２の上部側は、天板８１と接続されているので、脚部８２の上部側同士の距離は変わらない。さらに脚部８２の背面側（外側）には、箱体部１０の内壁９１がある。そのため天板８１、脚部８２、及び通気板７７によって構成される四角形は、長方形又は正方形となり、これが菱形に潰れることはない。
【００８９】
また上記した様に、棚部材７８の天板８１は、箱体部１０の内底面の半分を占める形状及び面積であるから、棚部材７８を二つ並べて設置すると、二枚の天板８１が箱体部１０の全面積を占めることとなる。即ち棚部材７８を二つ並べることにより、棚部材７８は箱体部１０の中に敷きつめられ、箱体蔀１０の略全平面領域が覆われる。
【００９０】
そのため天板８１の二辺に設けられた縁片８３が隣接する縁片８３又は箱体部１０の内壁と接し、天板８１に対して直角姿勢となり、この姿勢が維持される。特に本実施の形態では、縁片８３の両端に肉厚部９５が設けられており、一方の棚部材７８の肉厚部９５と他方の棚部材７８の肉厚部９５が重なり、さらにこの重なり部分が、それぞれの脚板８２の間で挟まれる。
【００９１】
脚板８２の幅は、天板８１の幅と等しいので、２基の棚部材７８を箱体部１０の中に敷きつめると、脚板８２は隣接する脚板８２と接し、長手方向の移動についても規制される状態となる。そのため縁片８３の肉厚部９５は、脚板８２によって強く押しつけられ、天板８１に対して直角姿勢を維持する。
【００９２】
その結果、天板８１の断面係数が増大し、天板８１が補強されて曲げに対する強度が向上する。従って天板８１に重い物を乗せても天板８１は撓みにくい。
【００９３】
従って天板８１の上にハンバーガや飲み物等を置くことができる。また棚部材７８の下に置かれたハンバーガが潰れることもない。
【００９４】
また本実施の形態では、天板８１には通気孔８０が設けられているので、下部の熱気が通気孔８０を通過して天板８１の上部に対流し、ハンバーガ等を保温する。
【００９５】
棚部材７８を使用しない場合には、図１２（ｂ）に示す様に脚板８２を畳み、図１４に示す様に箱本体１０の内壁に立てかけておく。上記した様に、天板８１の面積及び形状が箱体部１０の内底面の半分を占める形状及び面積であるから、脚板８２を畳んだ状態においても箱体部１０の内底面の半分を占める形状及び面積となる。そのため図１４に示す様に長辺側の内壁に棚部材７８を並べて置くことができる。勿論、短辺側の内壁に一個ずつ対向して置いてもよいし、短辺側の内壁に二個重ねておいてもよい。
【００９６】
アイスクリーム等の冷却状態で搬送する必要があるものについては、蓋部８の下面に設けられた蓄熱材取付部５６，５７に蓄冷材を収納し、箱体部１０の中にアイスクリーム等を収納する。勿論、箱体部１０の底に蓄冷材を収納し、その上に通気板７７を置いたり、棚部材７８を立てたりしてもよい。
【００９７】
逆に前述した高温で保温する場合に、蓄熱材取付部５６，５７に高温の蓄熱板を収納しても構わない。
【００９８】
そして箱体部１０の蓋部８を閉じ、蓋部８に設けられたフラップ５１，５２，５３を本体側の外に垂らし、フラップ５１，５２，５３に設けられた面ファスナーを、外箱部材１６の開口端近傍に設けられた面ファスナー５０と係合させる。その結果、箱体部１０の蓋部８が閉じられ、内部の熱気や冷気が洩れない。
【００９９】
そうして断熱容器１を所望の場所に運ぶ。本実施の形態の断熱容器１では、ショルダーベルト（さげ紐）１１が設けられているので、図１５の様にショルダーベルト（さげ紐）１１を肩にかけて断熱容器１を運搬することとなる。図１５は、図１に示す断熱容器を運搬する際の様子を示す説明図である。
【０１００】
ここで本実施の形態の断熱容器１では、ショルダーベルト（さげ紐）１１の箱体部１０に対する取り付け部分（固定紐部６８）のベルト間隔は、下部側から上部側に向かってしだいに狭まっており、固定紐部６８の傾斜角度は、箱体取付部６０の中間部分を周壁部４３と同一の平面であって且つ周壁部４３の中心軸上に持ち上げ、箱体取付部６０のフリー部分６９の弛みを無くした状態の時、箱体取付部６０のフリー部分６９の中心７４と、一端側箱体取付部６０の端部との間が直線状態となる様な角度となっている。
【０１０１】
そのため使用者がショルダーベルト（さげ紐）１１の連結部材６２の部位を肩に掛けた時、ショルダーベルト（さげ紐）１１の下端、即ち箱体部１０の周壁部３の下側の角から、取付部側連結部６５，６６の部位までのショルダーベルト（さげ紐）１１の状態は、略直線的であり、極端な折れ曲がりは生じない。そのため断熱容器１を押したり、紐が擦れたりするといった不具合が少ない。
【０１０２】
そのため長期に渡って使用しても断熱容器１の傷みや、ショルダーベルト（さげ紐）１１の傷みが少ない。
【０１０３】
なお本実施の形態の断熱容器１は、図１に示す様に、使用時には箱形状であるが、不使用時にはコンパクトに折り畳むことができる。
【０１０４】
即ち箱体部１０内において、組み合わせ側壁部材１８を図５に示す様に折り畳む。即ち第一内壁部材２２に、底壁部材２６が接する様に折り曲げ、さらに底壁部材２６に、第二内壁部材２３と第三内壁部材２５とを折り重ねる。
【０１０５】
そして独立側壁部材２０を組み合わせ側壁部材１８側に引き寄せる。外側の外箱部材１６は、軟質樹脂のシートで作られたものであり、任意の形状に折り畳むことができるので、独立側壁部材２０を移動させることによって弛んだシートは、独立側壁部材２０を組み合わせ側壁部材１８の間に挟み込むことができる。
【０１０６】
またこれと前後してショルダーベルト１１の中間ベルト部６７を取り外す。
【０１０７】
中間ベルト部６７には、一端に雄型係止具片７３が取り付けられ、他端側に雄型係止具片７５が取り付けられており、これらが中間ベルト部６７の雄型係止具片７３を取付部側連結部６５の雌型係止具片７０と係合することによって中間ベルト部６７が取り付けられているから、これらの係合を解くことによって中間ベルト部６７を取り外すことができる。そして取り外した中間ベルト部６７を折り畳んだ断熱容器１に巻き回し、両端の係止具片７３，７５を係合させることにより、断熱容器１の折り畳みが完了する。
【０１０８】
上記した実施の形態では、断熱材として真空断熱材を採用したが、他の断熱材であってもよい。
【０１０９】
以上説明した実施の形態では、天板部に設けた折り曲げ部は、帯状であって幅が一定であるが、例えば中間部分の幅を広くするとより高い剛性が得られる。
【０１１０】
また上記した実施の形態では、２基の棚部材を敷きつめたが、３以上の棚部材を敷きつめてもよい。また棚部材は、同一の大きさである必要はなく、幅の広いものと狭いものとが混在していてもよい。
【産業上の利用可能性】
【０１１１】
本発明の断熱容器は、固いものと柔らかいものを混在させて収納したり運搬したりすることができるので使い勝手がよい。また収納する物の量に応じて棚を設けたり外したりすることができる。そのため、ハンバーガ等の加熱食品や、アイスクリーム等の冷凍食品を収納したり運搬したりするのに適している。
【図面の簡単な説明】
【０１１２】
【図１】本発明の実施の形態１に係る断熱容器を示す斜視図
【図２】同実施の形態の断熱容器の側面図
【図３】同実施の形態の断熱容器の内部を示す断面斜視図
【図４】同実施の形態の断熱容器の畳んだ状態の斜視図
【図５】同実施の形態の断熱容器の、外箱部材と内壁形成部材を取り外した状態を示す分解斜視図
【図６】同実施の形態の断熱容器で採用する連結部の斜視図
【図７】同実施の形態の断熱容器の内壁部材の斜視図及び分解斜視図
【図８】同実施の形態の断熱容器の内壁部材の断面図
【図９】同実施の形態の断熱容器に用いた真空断熱材の断面斜視図
【図１０】同実施の形態の断熱容器の箱体部内に収納される蓄熱材と通気板を示す斜視図
【図１１】同実施の形態の断熱容器の箱体部内に蓄熱材と通気板を置き、さらにハンバーガを入れた状態における断熱容器の断面斜視図である。箱体部内に蓄熱材と通気板を置き、さらにハンバーガを入れた状態における断熱容器の断面斜視図
【図１２】（ａ）同実施の形態の断熱容器の棚部材の設置時の状態を示す斜視図、（ｂ）同棚部材の不使用時の状態を示す斜視図
【図１３】（ａ）同実施の形態の断熱容器の箱体部内に蓄熱材と通気板を置き、さらに棚部材を設置した状態における断熱容器内の様子を示す斜視図、（ｂ）箱体部と通気板と脚部の関係を示す要部断面図
【図１４】同実施の形態の断熱容器の箱体部内に蓄熱材と通気板置き、さらに棚部材を畳んで収納した状態における断熱容器内の様子を示す斜視図
【図１５】同実施の形態の断熱容器を運搬する際の様子を示す説明図
【符号の説明】
【０１１３】
１    断熱容器
８    蓋部（開閉部）
１０  箱体部
１６  外箱部材
３０  真空断熱材
５６，５７  蓄熱材取付部
７７  通気板
７８  棚部材
７９  孔
８０  孔
８１  天板（天板部）
８２  脚板（脚部）
８３  縁片
８７  折り目
８８  折り目
【図１】
2006327614.tif 000003
【図２】
2006327614.tif 000004
【図３】
2006327614.tif 000005
【図４】
2006327614.tif 000006
【図５】
2006327614.tif 000007
【図６】
2006327614.tif 000008
【図７】
2006327614.tif 000009
【図８】
2006327614.tif 000010
【図９】
2006327614.tif 000011
【図１０】
2006327614.tif 000012
【図１１】
2006327614.tif 000013
【図１２】
2006327614.tif 000014
【図１３】
2006327614.tif 000015
【図１４】
2006327614.tif 000016
【図１５】
2006327614.tif 000017